(57)【要約】      （修正有）【課題】火力・水力・揚水発電機を有する電力系統における運転計画策定装置において、より経済的な火力運転計画策定を可能とする。【解決手段】予想される需要予測値に基づき、複数の火力発電機に関する火力運転計画を作成する火力発電機運転計画策定処理部４と、火力発電機運転計画策定処理部４が作成した火力運転計画の各々に対し、需給バランス、予備力を含む制約条件を満たし、かつ、火力発電機全体の運転コストを最小とするような水力・揚水運転計画を作成する水力・揚水発電機運転計画策定処理部６と、が備えられる。火力発電機運転計画策定処理部４は、水力・揚水発電機運転計画策定処理部６が作成した水力・揚水発電機運転計画によりもたらされる水力発電機出力および揚水発電機出力に応じて、火力運転計画に基づく火力分担需要の見直しを行う。【選択図】図１
2008295175.tif 000002
【特許請求の範囲】
【請求項１】
複数の火力発電機、水力発電機、揚水発電機を含む発電機全体の運転計画を策定する発電機の運転計画策定装置において、
予想される需要予測値に基づき、複数の火力発電機の運転計画である火力発電機運転計画を複数個作成する火力発電機運転計画策定処理部と、
前記火力発電機運転計画策定処理部が作成した火力発電機運転計画の各々に対し、需給バランス、予備力を含む制約条件を満たし、かつ、前記火力発電機全体の運転コストを最小とするような水力発電機または揚水発電機の運転計画である水力・揚水発電機運転計画を作成する水力・揚水発電機運転計画策定処理部と、
を備え、
前記火力発電機運転計画策定処理部は、前記水力・揚水発電機運転計画策定処理部が作成した水力・揚水発電機運転計画によりもたらされる水力発電機出力および揚水発電機出力に応じて、前記火力発電機運転計画に基づく火力分担需要の見直しを行うことを特徴とする発電機の運転計画策定装置。
【請求項２】
前記火力分担需要の見直しは、前記複数の火力発電機の基本需要に対する運転計画と火力最低分担需要に対する運転計画との差異の全ての組合せに対して実行されることを特徴とする請求項１に記載の発電機の運転計画策定装置。
【請求項３】
前記火力分担需要の見直しは、火力発電機に対する基本需要に基づく運転計画から予め想定される水力発電機または揚水発電機の出力を差し引いた火力想定分担需要に基づいて作成された火力発電機運転計画に対して実行されることを特徴とする請求項１に記載の発電機の運転計画策定装置。
【請求項４】
前記火力発電機運転計画策定処理部が作成した火力発電機運転計画を画面表示するとともに、該画面表示された火力発電機運転計画の中から取捨選択し、あるいは新たに生成された火力発電機運転計画を外部記憶装置に出力する運転計画表示部をさらに備えたことを特徴とする請求項１〜３のいずれか１項に記載の発電機の運転計画策定装置。
【請求項５】
請求項１〜４のいずれか一つに記載された装置における各部機能をコンピュータに実行させるためのプログラム。
【請求項６】
複数の火力発電機、水力発電機、揚水発電機を含む発電機全体に対し、予想される需要予測値に基づき、複数の火力発電機の運転計画である火力発電機運転計画を複数個作成する火力発電機運転計画策定ステップと、
前記火力発電機運転計画策定ステップが生成した火力発電機運転計画の各々に対し、需給バランス、予備力を含む制約条件を満たし、かつ、前記火力発電機全体の運転コストを最小とするような水力発電機または揚水発電機の運転計画である水力・揚水発電機運転計画を作成する水力・揚水発電機運転計画策定ステップと、
を含む発電機の運転計画策定方法であって、
前記火力発電機運転計画策定ステップは、
前記複数の火力発電機に対する基本需要から前記水力・揚水発電機運転計画策定ステップが生成した水力・揚水発電機運転計画に基づく水力発電機可能出力および揚水発電機可能出力を差し引いた火力最低分担需要を生成する火力最低分担需要生成ステップと、
前記火力最低分担需要生成ステップが生成した火力最低分担需要に基づき、夜間停止中の火力発電機を該火力最低分担需要にて運転可能か否かを検討し、該火力最低分担需要での運転が可能ではない場合に、前記火力発電機運転計画を変更する火力発電機運転計画変更第１ステップと、
前記火力最低分担需要生成ステップが生成した火力最低分担需要に基づき、昼間運転中の火力発電機を該火力最低分担需要にて停止可能か否かを検討し、該火力最低分担需要での停止が可能な場合に、前記火力発電機運転計画を変更する火力発電機運転計画変更第２ステップと、
を有することを特徴とする発電機の運転計画策定方法。
【請求項７】
前記火力発電機運転計画策定ステップは、
前記複数の火力発電機に対する基本需要から予め想定される水力発電機または揚水発電機の出力を差し引いた火力想定分担需要を生成する火力想定分担需要生成ステップと、
前記火力想定分担需要生成ステップが生成した火力想定分担需要に基づき、昼間運転中の火力発電機を該火力想定分担需要にて停止可能か否かを検討し、該火力想定分担需要での停止が可能な場合に、前記火力発電機運転計画を変更する火力発電機運転計画変更第３ステップと、
を前記火力最低分担需要生成ステップの前処理として有することを特徴とする請求項６に記載の発電機の運転計画策定方法。
【請求項８】
請求項６または７に記載された方法をコンピュータに実行させるためのプログラム。
【発明の詳細な説明】
【技術分野】
【０００１】
本発明は、火力、水力、揚水発電機等複数種類の発電機の経済的な運転計画を策定するための運転計画策定装置、運転計画策定方法ならびに、その装置および方法を実行させるプログラムに関するものである。
【背景技術】
【０００２】
発電機には、火力発電機、水力発電機、揚水発電機、原子力発電機等、種々の発電機があり、各々の特徴を生かし、全発電機出力の合計が予測される計画期間の需要に見合うように運転計画が策定される。この運転計画策定問題は、信頼性や運転条件等さまざまな制約を考慮しつつ、経済性を追求する必要があり、複雑な問題である。これまで、特許や論文等で、火力発電機、水力・揚水発電機の運転計画策定問題が扱われてきたが、火力発電機の運転計画や連接水系の運転計画単独での提案、あるいは火力発電機の処理と水力・揚水の処理を繰り返す手法が提案されている。
【０００３】
例えば、下記特許文献１では、火力・揚水運転計画策定方法として、火力発電機のみの運転計画を策定した後、供給力余剰・不足に対し、揚水計画を策定し、需要から揚水分を差し引いた火力分担負荷に対し、再度火力発電機の運転計画を策定することが提案されている。
【０００４】
また、下記特許文献２では、水力発電機の運転計画策定方法として、複数のダム及び発電機を有する連接水系の運転計画に関する提案が行われており、連接水系以外の発電機（例えば火力・揚水発電機等）の運転計画を策定した後、連接水系の発電機の運転計画を策定することが提案されている。
【０００５】
さらに、下記特許文献３では、揚水発電機の運転計画策定方法として、複数の揚水発電所に優先順位付けを行い、その順位に従って揚水発電機の運転計画を策定することが提案されている。
【０００６】
一方、火力発電機と水力・揚水発電機の最適運用計画を扱う技術論文として、下記非特許文献１，２では、火力・水力・揚水の発電計画を順次求め、コストの改善がある限り他の種類の発電機の運転計画を固定した状態で、各々の運転計画を繰り返し修正することが提案されている。
【０００７】
【特許文献１】特開２０００−１８４５９２号公報
【特許文献２】特開２００４−０１３４６８号公報
【特許文献３】特開２００５−０６５４０５号公報
【非特許文献１】「揚水発電所を含む水・火力系統の週間発電計画手法」，平成１１年電気学会論文誌Ｂ、１１９巻１号，ｐｐ１０９−１１６
【非特許文献２】「連接水系群を含む電力系統の週間最適運用計画」，平成１１年電気学会論文誌Ｂ、１１９巻１０号，ｐｐ１０４９−１０５５
【発明の開示】
【発明が解決しようとする課題】
【０００８】
しかしながら、上述した従来の運転計画策定方法では、水力あるいは揚水発電機の運用計画を策定する際、火力発電機の運転計画は既に作成されたものあるいは想定されたものとして、燃料費等を設定しており、その条件の下での水力あるいは揚水計画が実施されていた。そこでは、火力発電機運転計画を変更した場合の水力あるいは揚水計画との比較評価が実施されていないため、火力発電機運転計画および水力・揚水発電機運転計画の双方の経済性を見込む計画策定が行えず、全体としての最適化が実施できていないという課題があった。
【０００９】
この発明は、前述のような実情に鑑みてなされたもので、火力・水力・揚水発電機を有する電力系統における運用計画策定に関し、より経済的な運用計画策定を可能とする発電機の運転計画策定装置、運転計画策定方法および運転計画策定装置を実行させるプログラムを提供することを目的とする。
【課題を解決するための手段】
【００１０】
上述した課題を解決し、目的を達成するため、本発明にかかる発電機の運転計画策定装置は、複数の火力発電機、水力発電機、揚水発電機を含む発電機全体の運転計画を策定する発電機の運転計画策定装置において、予想される需要予測値に基づき、複数の火力発電機の運転計画である火力発電機運転計画を複数個作成する火力発電機運転計画策定処理部と、前記火力発電機運転計画策定処理部が作成した火力発電機運転計画の各々に対し、需給バランス、予備力を含む制約条件を満たし、かつ、前記火力発電機全体の運転コストを最小とするような水力発電機または揚水発電機の運転計画である水力・揚水発電機運転計画を作成する水力・揚水発電機運転計画策定処理部と、を備え、前記火力発電機運転計画策定処理部は、前記水力・揚水発電機運転計画策定処理部が作成した水力・揚水発電機運転計画によりもたらされる水力発電機出力および揚水発電機出力に応じて、前記火力発電機運転計画に基づく火力分担需要の見直しを行うことを特徴とする。
【発明の効果】
【００１１】
本発明にかかる運転計画策定装置によれば、予想される需要予測値に基づき、複数個作成された火力発電機運転計画の各々に対し、需給バランス、予備力を含む制約条件を満たし、かつ、火力発電機全体の運転コストを最小とするような水力・揚水発電機運転計画によりもたらされる水力発電機出力および揚水発電機出力に応じて、火力発電機運転計画に基づく火力分担需要の見直しを行うようにしているので、火力・水力・揚水発電機を有する電力系統における運用計画策定に関し、より経済的な運用計画の策定が可能になるという効果が得られる。
【発明を実施するための最良の形態】
【００１２】
以下に、本発明の好適な実施の形態にかかる運転計画策定装置、運転計画策定方法および運転計画策定装置を実行させるプログラムを図面に基づいて詳細に説明する。なお、以下の実施の形態により本発明が限定されるものではない。
【００１３】
実施の形態１．
（運転計画策定装置の構成）
図１は、本発明の実施の形態１にかかる運転計画策定装置の構成例を示す図である。実施の形態１にかかる運転計画策定装置は、火力発電機運転計画策定処理部４および水力・揚水発電機運転計画策定処理部６を備えるともに、これらの各処理部に必要な各種データを記憶保持する需要データ記憶部１、火力データ記憶部２および水力・揚水データ記憶部３ならびに、これらの各処理部によって処理されたデータを記憶保持する火力発電機運転計画記憶部５および、水力・揚水発電機運転計画記憶部７を備えて、構成される。
【００１４】
（各処理部の機能および各記憶部の保持データ）
需要データ記憶部１には、計画期間における例えば１時間帯毎の総需要予測値、および火力発電機、水力・揚水発電機以外の発電機計画値が保持される。火力データ記憶部２には、火力発電機設備定格、燃料単価等の火力発電設備に関わるデータおよび、燃料制約量、補修スケジュール等、火力発電機の運転制約に関わるデータが保持される。水力・揚水データ記憶部３には、水力あるいは揚水発電機設備定格、ダム貯水容量等の水力発電設備に関わるデータおよび、連接水系に関わるデータが保持される。
【００１５】
火力発電機運転計画策定処理部４は、需要データ記憶部１に記憶保持される需要予測値から、同じく需要データ記憶部１に記憶保持される火力・水力・揚水発電機以外の発電機計画値を差し引いた火力・水力・揚水分担需要を基本需要とし、この基本需要に対する火力発電機の基本運転計画（以下「火力基本運転計画」という）を策定するとともに、策定した火力基本運転計画に基づき、水力あるいは揚水の運転可能範囲で、火力発電機運転計画記憶部５に記憶保持されている複数の火力発電機の運転計画（以下「火力運転計画」という）を作成または変更する。水力・揚水発電機運転計画策定処理部６は、火力運転計画の各々に対し、需給バランス、予備力等の各種制約を満たし、かつ、火力発電機の運転コストが最小となるように水力あるいは揚水発電機の運転計画（以下「水力・揚水運転計画」という）を作成し、作成した水力・揚水運転計画を水力・揚水発電機運転計画記憶部７に記憶保持する。火力発電機運転計画策定処理部４は、水力・揚水運転計画によりもたらされた水力発電機出力を基本需要から差し引いて火力分担需要とし、各々の火力分担需要に対する火力発電所（火力発電機全体）の運転計画を策定するとともに、複数ある火力運転計画の結果比較を実施し、最終解（修正された火力運転計画）を火力発電機運転計画記憶部５に出力する。
【００１６】
（火力発電機運転計画策定処理部の構成）
図２は、図１における火力発電機運転計画策定処理部４の細部構成を明示したブロック図である。図２に示すように、火力発電機運転計画策定処理部４は、火力分担需要作成部４１、火力発電機基本計画決定部４２、火力発電機運転計画策定部４３および火力発電機出力決定部４４を備えて構成される。
【００１７】
（火力発電機運転計画策定処理部の動作）
図２において、まず、水力・揚水運転計画５１が作成されていない処理理開始時点では、火力分担需要作成部４１は、需要データ記憶部１から得られる総需要予測値から、同じく需要データ記憶部１から得られる火力・水力・揚水発電機以外の発電機計画値を差し引くことで基本需要を算出し、火力分担需要４６とする。したがって、この段階では、図２に示すように火力分担需要は１パターンしかない。
【００１８】
つぎに、火力発電機基本計画決定部４２は、この火力分担需要４６に対し、火力データ記憶部２から得られる火力発電機の運転制約を考慮しつつ、最経済となる火力発電機の運転計画である火力基本運転計画４７を算出する。なお、火力基本運転計画４７の決定手法としては、高速解法の一つである優先順位法や最適化手法である動的計画法、遺伝的アルゴリズム、シミュレーテッドアニーリング法等を用いればよい。なお、これらの手法を開示した文献は多数存在しており、手法自体の詳細な説明は省略する。
【００１９】
ここで、火力発電機基本計画決定部４２によって算出された火力基本運転計画４７は、水力発電機および揚水発電機の運転計画である水力・揚水運転計画５１が考慮されていないため、昼間の需要ピーク時等では停止できる余力がある一方で、夜間の需要オフピーク時等では揚水運転の可能性があるため、追加運転の可能性がある。そこで、火力発電機運転計画策定部４３は、水力・揚水データ記憶部３より水力あるいは揚水発電機の出力可能範囲を算出し、これらの範囲内において、昼間運転している火力発電機の停止、および夜間停止している火力発電機の運転についての検討を行うとともに、検討結果に基づいて策定された複数の火力運転計画４８を火力発電機運転計画記憶部５に保存する。なお、火力運転計画４８に含まれる内容としては、火力発電機の起動停止スケジュール、発電出力、増分燃料費などが典型的なものである。
【００２０】
一方、水力・揚水発電機運転計画記憶部７から水力・揚水運転計画５１が得られる処理段階になると、火力分担需要作成部４１は、基本需要から水力あるいは揚水発電機の発電出力を差し引くことで、火力分担需要４６を算出することができる。したがって、この段階では、火力運転計画４８および水力・揚水運転計画５１と同数分の火力分担需要４６が作成される。火力発電機出力決定部４４は、既作成の火力運転計画４８から火力分担需要と需給バランスとを満たすように、運転中火力発電機の出力配分を実施する。なお、出力配分手法としては、等ラムダ法や二次計画法などの公知の手法を用いればよい。
【００２１】
（水力・揚水発電機運転計画策定処理部の構成）
図３は、図１における水力・揚水発電機運転計画策定処理部６の細部構成を明示したブロック図である。図３に示すように、水力・揚水発電機運転計画策定処理部６は、水力・揚水分担需要作成部６１および水力・揚水発電機運転計画決定部６２を備えて構成される。
【００２２】
（水力・揚水発電機運転計画策定処理部の動作）
図３において、水力・揚水分担需要作成部６１は、総需要予測値から火力・水力・揚水発電機以外の発電機計画値を差し引いた基本需要に対し、さらに火力発電機の計画出力である火力運転計画４８を差し引くことで、水力・揚水分担需要６４を作成する。したがって、水力・揚水分担需要６４は、火力運転計画４８の個数分作成される。水力・揚水発電機運転計画決定部６２は、この水力・揚水分担需要６４に対し、水力・揚水データ記憶部３から得られる水力発電機、水系等の運転制約を考慮しつつ、最経済となる水力・揚水発電機の運転計画である水力・揚水運転計画５１を算出する。なお、水力・揚水運転計画５１を算出する際の経済性評価指標としては、例えば計画期間における火力発電機の燃料費および起動費の総和を用いればよい。また、水力・揚水運転計画５１の決定手法としては、火力発電機運転計画決定手法と同様に、公知の動的計画法、二次計画法等を用いることができる。
【００２３】
つぎに、上述した火力発電機運転計画策定部４３の時系列的な処理の流れについて、図４のフローチャートを参照して説明する。なお、図４に示すフローチャートでは、火力最低分担需要の作成処理（ステップＳ１１）、夜間停止発電機の運転検討処理（ステップＳ１２）、昼間運転中発電機の停止可能性検討処理（ステップＳ１３）および火力運転計画リスト作成処理（ステップＳ１４）の４つの処理が含まれている。
【００２４】
すなわち、本発明の好適な実施の形態にかかる運転計画策定方法では、火力発電機の運転スケジュール変更の基準となる需要として、ピーク時は水力あるいは揚水発電機の可能出力を、オフピーク時は水系制約等で最低必要となる出力を各々基本需要から差し引き、火力最低分担需要を作成する（ステップＳ１１）。つぎに、揚水運転による火力発電機の夜間運転については、例えば対象期間となる夜間をはさんだ両日の昼間に運転し夜間に停止する、いわゆるＤＳＳ(デイリー・スタート・アンド・ストップ)運転を行う発電機を連続運転するようなスケジュール変更が可能かどうかを検討し（ステップＳ１２１）、当該最低分担需要での運転が可能ではない場合（ステップＳ１２１，Ｎｏ）、発電機スケジュールの変更を行う（ステップＳ１２２）。また、昼間運転中の発電機に対しては、停止可能性の検討を行い（ステップＳ１３１）、昼間運転中発電機の停止が可能な場合（ステップＳ１３１，Ｙｅｓ）、発電機スケジュールの変更を行う（ステップＳ１３２）。なお、発電機スケジュールが変更された場合には、変更された発電機スケジュールに基づく火力運転計画リスト（図２で示すところの火力運転計画５０）が作成される（ステップＳ１４）。
【００２５】
（実施の形態１にかかる運転計画策定装置（方法）の効果）
図５は、実施の形態１にかかる火力発電機運転計画策定処理部の実施例として、基本需要、火力最低分担需要および必要予備力を考慮した火力発電機運転スケジュールを示す図であり、図６は、従来手法と実施の形態１の手法とを比較するため、従来手法による火力発電機運転スケジュールを図５に付加した図である。
【００２６】
図５に示す実施例では、計画期間２日間の需要と火力発電機の運転スケジュールが示されており、２つの曲線のうち、スケジュール曲線Ｋ１は、基本需要に必要予備力を加えたものであり、スケジュール曲線Ｋ２は、火力最低分担需要に必要予備力を加えたものである。また、同図において、需要と予備力とを満たすような火力発電機ａからｊの運転スケジュールを、１日目オフピーク−１日目ピーク−２日目オフピーク−２日目ピークで表すものとする。この場合、基本需要に対する運転スケジュール（スケジュール曲線Ｋ１）では、ａｂｃｄ−ａｂｃｄｅｆｇｈｉ−ａｂｃｄｅ−ａｂｃｄｅｆｇｈｉｊとなる。
【００２７】
一方、火力分担最低需要に対する運転スケジュール（スケジュール曲線Ｋ２）では、ａｂｃｄ−ａｂｃｄｅｆ−ａｂｃｄ−ａｂｃｄｅｆｇとなる。両者の差である、−ｇｈｉ−ｅ−ｉｊｈに基づく発電機スケジュール変更の全ての組合せが、火力発電機運転計画策定部４３（図２参照）の出力結果である複数の火力運転計画４８として算出される。なお、実運用上、水力発電に関する各種制約があるため、ピーク時においては、可能出力までの出力配分を行うことができず、実際の火力分担需要は、両曲線の中間となる。
【００２８】
ここで、従来の手法では、水力発電機の運転計画を火力基本運転計画に基づいて策定しているため、火力分担需要は、スケジュール曲線Ｋ１、Ｋ２の略中間に位置する図６に示すようなスケジュール曲線Ｋ３となる。スケジュール曲線Ｋ３の場合、需要に対する運転スケジュールは、ａｂｃｄ−ａｂｃｄｅｆｇ−ａｂｃｄｅ−ａｂｃｄｅｆｇｈとなる。この場合、２日目のピーク需要（図中の斜線部領域Ｍ１にかかる部分）をわずかに減らすことにより、発電機ｈを停止することが可能となる。しかしながら、従来の手法では、水力発電機の運転計画策定処理の段階で、火力発電機の運転スケジュールを変更するような検討が実施されないため、より経済的な運転計画を見逃すことになる。
【００２９】
これに対し、実施の形態１にかかる運転計画策定装置（方法）では、水力発電機の運転計画策定処理の段階で、火力発電機の運転スケジュールの変更が可能か否かの検討を行っているので、より経済的な運転計画の策定することが可能となる。
【００３０】
以上説明したように、この実施の形態の運転計画策定装置（方法）によれば、予想される需要予測値に基づき、複数個作成された火力発電機運転計画の各々に対し、需給バランス、予備力を含む制約条件を満たし、かつ、火力発電機全体の運転コストを最小とするような水力・揚水発電機運転計画によりもたらされる水力発電機出力および揚水発電機出力に応じて、火力発電機運転計画に基づく火力分担需要の見直しを行うようにしているので、火力・水力・揚水発電機を有する電力系統における運用計画策定に関し、より経済的な運用計画の策定が可能になる。
【００３１】
実施の形態２．
図７は、本発明の実施の形態２にかかる火力発電機運転計画策定処理部の処理フローを示すフローチャートである。同図に示すフローチャートは、図４に示したフローチャートにおいて、ステップＳ１１の前処理として、ステップＳ２１およびステップＳ２２の処理フローが付加されている。なお、その他の処理フローについては、実施の形態１の処理フローと同一または同等であり、これらの各処理フローには同一符号を付してその説明を省略する。
【００３２】
実施の形態１では、基本需要に対する運転計画と火力最低分担需要に対する運転計画との差異の組合せの全てが火力運転計画４８に反映されるが、これらの差異の組合せを限定することで、より効率的な検討が可能となる。例えば、図７に示すように、基本需要から実績や過去の運転計画により想定される水力あるいは揚水発電機の出力（以下「水力・揚水想定出力」という）を差し引いた火力想定分担需要を作成し（ステップＳ２１）、この火力想定分担需要に基づき、昼間運転中発電機の運転停止の可能性を検討し、昼間運転中発電機の停止が可能な場合、当該検討結果を反映させた火力運転計画を作成する（ステップＳ２２）。なお、その後の処理は、図４に示したフローと同様の処理が実行される。
【００３３】
このように実施の形態２の運転計画策定装置（方法）によれば、予め想定可能な火力想定分担需要に対する火力運転計画と火力最低分担需要に対する火力運転計画との差異の組合せのみを火力運転計画に反映させるようにしているので、実施の形態１と比較してより効率的な運転計画策定処理が可能となる。
【００３４】
実施の形態３．
図８は、本発明の実施の形態３にかかる運転計画策定装置を図２に対応する構成図上に示した図である。実施の形態３にかかる運転計画策定装置では、火力発電機運転計画策定部４３によって自動生成された火力運転計画４８を画面表示するとともに、計画策定者が火力運転計画４８の中から取捨選択し、あるいは新たに生成された火力運転計画を火力発電機運転計画記憶部５に出力することができる運転計画表示部８を備えている。なお、その他の構成部については、実施の形態１，２と同様であり、これら同一の各構成部には同一符号を付してその説明を省略する。
【００３５】
実施の形態３の運転計画策定装置（方法）によれば、作成した火力発電機運転計画を画面表示するとともに、画面表示された火力発電機運転計画の中から取捨選択し、あるいは新たに生成された火力発電機運転計画を外部記憶装置に出力する機能を付加したので、実施の形態１，２と同様の効果が得られる他、火力運転計画の策定処理を表示画面を通じて行うことができるので、より効率的な火力運転計画の策定処理を行うことができるという効果が得られる。
【００３６】
また、上記実施の形態１〜３にかかる運転計画策定装置（方法）では、図１〜図３、図８に示した各構成部の機能の一部または全てを実現するためのプログラム、あるいは図４、図７に示した処理フローの一部または全てを実行させるためのプログラムをコンピュータシステムに読み込ませ、実行させることにより実現させてもよい。この場合、当該プログラムがコンピュータシステムに読み取り可能となり、上述した機能の一部または全部、あるいは上述した処理フローの一部または全部をコンピュータシステムによって実行することが可能となる。
【００３７】
なお、ここでいう「コンピュータシステム」とは、ＯＳや周辺機器等のハードウェアを含むものとする。また、このプログラムは、前述の機能または機能の一部をコンピュータシステムに、既に記録されているプログラムとの組み合わせで実現できるものであってもよいことは無論である。
【産業上の利用可能性】
【００３８】
以上のように、本発明にかかる発電機の運転計画策定装置および運転計画策定方法は、火力・水力・揚水発電機を有する電力系統における、より経済的な火力運転計画策定を可能とする発明として有用である。
【図面の簡単な説明】
【００３９】
【図１】本発明の実施の形態１にかかる運転計画策定装置の構成例を示す図である。
【図２】図１における火力発電機運転計画策定処理部の細部構成を明示したブロック図である。
【図３】図１における水力・揚水発電機運転計画策定処理部の細部構成を明示したブロック図である。
【図４】本発明の実施の形態１にかかる火力発電機運転計画策定処理部の処理フローを示すフローチャートである。
【図５】実施の形態１にかかる火力発電機運転計画策定処理部の実施例として、基本需要、火力最低分担需要および必要予備力を考慮した火力発電機運転スケジュールを示す図である。
【図６】従来手法による火力発電機運転スケジュールを図５に付加した図である。
【図７】本発明の実施の形態２にかかる火力発電機運転計画策定処理部の処理フローを示すフローチャートである。
【図８】本発明の実施の形態３にかかる運転計画策定装置を図２に対応する構成図上に示した図である。
【符号の説明】
【００４０】
１  需要データ記憶部
２  火力データ記憶部
３  水力・揚水データ記憶部
４  火力発電機運転計画策定処理部
５  火力発電機運転計画記憶部
６  水力・揚水発電機運転計画策定処理部
７  水力・揚水発電機運転計画記憶部
８  運転計画表示部
４１  火力分担需要作成部
４２  火力発電機基本計画決定部
４３  火力発電機運転計画策定部
４４  火力発電機出力決定部
４６  火力分担需要
４７  火力基本運転計画
４８  火力運転計画
５０  火力運転計画
５１  水力・揚水運転計画
６１  水力・揚水分担需要作成部
６２  水力・揚水発電機運転計画決定部
６４  水力・揚水分担需要
【図１】
2008295175.tif 000003
【図２】
2008295175.tif 000004
【図３】
2008295175.tif 000005
【図４】
2008295175.tif 000006
【図５】
2008295175.tif 000007
【図６】
2008295175.tif 000008
【図７】
2008295175.tif 000009
【図８】
2008295175.tif 000010